(57)【要約】【課題】      掬い取ったペットの排泄物に付着した以外の余分な処理材をふるい落とすことができると共に、余分な処理材を分離した排泄物の周囲に付着している処理材をこぼさずに持ち運ぶことができるペットの排泄物処理具を提供することにある。【解決手段】  処理材が付着した排泄物を掬い取る掬取部１１と、掬取部１１の底板１１ａの一部である一方の側壁１１ｂ近傍に形成された複数の穴１４と、掬取部１１における穴１４が形成されていない掬取部１１の底板１１ａと他方の側壁１１ｃとからなる凹部１５とを有し、ペットの排泄物処理具１０を振り動かし、排泄物に付着した以外の余分な処理材を穴１４からふるい落として分離し、ペットの排泄物処理具１０の中に残った余分な処理材を分離した排泄物を穴が形成されていない掬取部１１の底板１１ａにおける他方の側壁１１ｃ近傍に移動して、持ち運ぶようにした。【選択図】    図１
2006141293.tif 000002
【特許請求の範囲】
【請求項１】
処理材が付着したペットの排泄物を掬い取る掬取部と、
前記掬取部の一部に形成された穴と、
前記掬取部における前記穴以外の部分に凹んだ凹部とを有す
ことを特徴とするペットの排泄物処理具。
【請求項２】
請求項１に記載されたペットの排泄物処理具であって、
前記掬取部が前後方向で湾曲した底板と、前記底板の側部から上方に延びる側壁とを有し、
前記穴が前記掬取部の底板もしくは前記掬取部の側壁からその底板にかけてある
ことを特徴とするペットの排泄物処理具。
【請求項３】
請求項１または請求項２に記載されたペットの排泄物処理具であって、
前記穴が長円形であり、前記長円形の短径を前記掬取部の先端と後端とを結ぶ方向に配置した
ことを特徴とするペットの排泄物処理具。
【請求項４】
請求項１乃至請求項３の何れかに記載されたペットの排泄物処理具であって、
前記掬取部の一部に形成された穴と前記掬取部の後端との間に突出する凸部を形成した
ことを特徴とするペットの排泄物処理具。
【請求項５】
請求項４に記載されたペットの排泄物処理具であって、
前記凸部と前記掬取部の後端との間における一部に、前記掬取部の一部に形成された穴よりも大きい穴を形成した
ことを特徴とするペットの排泄物処理具。
【発明の詳細な説明】
【技術分野】
【０００１】
本発明は、掬い取ったペットの排泄物に付着した以外の余分な処理材を分離して廃棄するためのペットの排泄物処理具に関する。
【背景技術】
【０００２】
室内において飼育される猫などのペット用トイレは、上方が開放した容器からなっており、この容器の底面には桿状または粒状物質の処理材、例えば猫砂が敷き詰められている。処理材として、ペットの排泄物である尿や糞の水分を吸収して凝集する（固まる）物質で作られているものや、ペットの尿を吸収せずに通過させ、ペットの糞に付着するものがある。そのため、ペット用トイレを掃除するときには、ペットの排泄物をペットの排泄物処理具であるスコップ、例えば下記特許文献１の図６に記載されるスコップで掬い取り、スコップを前後方向や左右方向などに振り動かして、排泄物に付着した以外の汚れていない余分な処理材を前記スコップの作用部に形成された穴からふるい落とし、スコップの中に残った排泄物だけを廃棄している。そして、廃棄によりペット用トイレから処理材が減少した分だけ、新たに補充している。
【０００３】
【特許文献１】実用新案登録第３０８８５２０号
【発明の開示】
【発明が解決しようとする課題】
【０００４】
上述したように、前記スコップでは排泄物に付着した以外の余分な処理材をスコップの穴からふるい落として分離することができるものの、スコップの中に残った処理材の付着した排泄物をゴミ箱や人が使用するトイレ（人用のトイレ）まで運ぶ際に、前記排泄物の周囲に付着している処理材が排泄物から分離されてスコップの穴からこぼれてしまい、その周囲を汚してしまう虞があった。
【０００５】
そこで、本発明は、前記実情に鑑みて提案されたもので、掬い取ったペットの排泄物に付着した以外の余分な処理材をふるい落とすことができると共に、余分な処理材を分離した排泄物の周囲に付着している処理材をこぼさずに持ち運ぶことができるペットの排泄物処理具を提供することを目的とする。
【課題を解決するための手段】
【０００６】
上述した課題を解決する第１の発明に係るペットの排泄物処理具は、処理材が付着したペットの排泄物を掬い取る掬取部と、前記掬取部の一部に形成された穴と、前記掬取部における前記穴以外の部分に凹んだ凹部とを有すことを特徴とする。
【０００７】
上述した課題を解決する第２の発明に係るペットの排泄物処理具は、第１の発明に記載されたペットの排泄物処理具であって、前記掬取部が前後方向で湾曲した底板と、前記底板の側部から上方に延びる側壁とを有し、前記穴が前記掬取部の底板もしくは前記掬取部の側壁からその底板にかけてあることを特徴とする。
【０００８】
上述した課題を解決する第３の発明に係るペットの排泄物処理具は、第１の発明または第２の発明に記載されたペットの排泄物処理具であって、前記穴が長円形であり、前記長円形の短径を前記掬取部の先端と後端とを結ぶ方向に配置したことを特徴とする。
【０００９】
上述した課題を解決する第４の発明に係るペットの排泄物処理具は、第１の発明乃至第３の発明の何れかに記載されたペットの排泄物処理具であって、前記掬取部の一部に形成された穴と前記掬取部の後端との間に突出する凸部を形成したことを特徴とする。
【００１０】
上述した課題を解決する第５の発明に係るペットの排泄物処理具は、第４の発明に記載されたペットの排泄物処理具であって、前記凸部と前記掬取部の後端との間における一部に、前記掬取部の一部に形成された穴よりも大きい穴を形成したことを特徴とする。
【発明の効果】
【００１１】
第１の発明に係るペットの排泄物処理具によれば、処理材が付着した排泄物を掬取部に掬い取り、処理材が付着した排泄物を穴の上に移動させ、ペットの排泄物処理具を振り動かすことにより前記排泄物に付着した以外の余分な処理材をふるい落として分離することができる。よって、ペット用トイレに敷き詰められた新しい処理材の減る割合が少なくなり、経済性が向上する。さらに、余分な処理材を分離した排泄物を掬取部の凹部に移動することにより、ペットの排泄物処理具から処理材が付着した排泄物が落ちにくくなり、ペットの排泄物処理具に余分な処理材を分離した排泄物を乗せたまま、排泄物の周囲に付着している処理材をこぼさずに、ゴミ箱や人用のトイレまで容易に持ち運ぶことができる。さらに、掬取部に形成された穴より小さい排泄物や汚れた処理材であっても、これらを掬取部における穴が形成されていない部位に掬い取って、ペット用トイレから取り除くことができるので、ペット用トイレの衛生を維持することができる。
【００１２】
第２の発明に係るペットの排泄物処理具によれば、第１の発明と同様な作用効果を奏する他、処理材が付着した排泄物を掬取部に掬い取り、ペットの排泄物処理具を傾けるだけで、穴の上に処理材が付着した排泄物を移動させたり、余分な処理材を分離した排泄物を掬取部の穴以外の部分に移動させたりすることが容易にできるので、操作性が向上する。また、掬取部における側壁から底板にかけて穴があるときには、ペットの排泄物処理具を傾けた状態にて振り動かしたときに処理材が付着した排泄物が前記穴の上を移動することになり、排泄物に付着した以外の余分な処理材を効率良くふるい落とすことができる。
【００１３】
第３の発明に係るペットの排泄物処理具によれば、第１の発明および第２の発明と同様な作用効果を奏する他、排泄物が掬取部の穴に引っ掛かりにくくなり、排泄物に付着した以外の余分な処理材を分離した後に、ペットの排泄物処理具を傾けるだけで、余分な処理材を分離した排泄物を掬取部に形成された穴以外の部分に移動することが容易にできるので、操作性がさらに向上する。
【００１４】
第４の発明に係るペットの排泄物処理具によれば、第１の発明乃至第３の発明と同様な作用効果を奏する他、余分な処理材を分離した排泄物を、凸部を越えて掬取部の後端側に移動するだけで、余分な処理材を分離した排泄物を掬取部の穴から離すことができるので、余分な処理材を分離した排泄物の周囲に付着している処理材をこぼさずに、ゴミ箱や人用のトイレまで容易に持ち運ぶことができる。
【００１５】
第５の発明に係るペットの排泄物処理具によれば、第４の発明と同様な作用効果を奏する他、処理材が付着した排泄物が凸部と掬取部の後端との間に形成された穴より大きいときには、凸部と掬取部の後端との間に形成された穴から排泄物に付着した以外の余分な処理材をふるい落として分離することができ、凸部と掬取部の後端の間に形成された穴より小さく、掬取部の一部に形成された穴より大きいときには、掬取部の一部に形成された穴から排泄物に付着した以外の余分な処理材をふるい落として分離することができる。さらに、凸部があることにより、ペットの排泄物処理具を傾けても、余分な処理材を分離した排泄物が凸部に引っ掛かるため、凸部と掬取部の後端との間に形成された穴で余分な処理材を分離した大きい排泄物と、掬取部の一部に形成された穴で余分な処理材を分離した小さい排泄物とを同時に持ち運ぶことができる。
【発明を実施するための最良の形態】
【００１６】
以下に、本発明に係るペットの排泄物処理具を実施するための最良の形態を説明する。
【実施例１】
【００１７】
図１は、本発明の第１の実施例に係るペットの排泄物処理具の斜視図である。
【００１８】
本発明の第１の実施例に係るペットの排泄物処理具１０は、図１に示すように、スコップ状に形成されており、処理材が付着したペットの排泄物を掬い取る掬取部１１を有する。掬取部１１は、底板１１ａと、底板１１ａの両側から上方にそれぞれ延びる側壁１１ｂ、１１ｃとを有する。ただし、底板１１ａと側壁１１ｂ、１１ｃとが連結する角部は丸くなっている。掬取部１１の底板１１ａは、前後方向、すなわち先端１１ｄから後端１１ｅにかけて円弧状に湾曲して形成され、先端１１ｄ側から後端１１ｅ側にかけて徐々にその嵩が深くなり、後端１１ｅ近傍にてその嵩が最も深くなっている。
【００１９】
掬取部１１の後端１１ｅには、把持部１３が連結されており、掬取部１１に処理材が付着したペットの排泄物を掬い取ったり、ペットの排泄物処理具１０を持ち運んだりするなど、種々の操作が可能となっている。掬取部１１の底板１１ａにおける一部、具体的には、掬取部１１の底板１１ａにおける一方の側壁１１ｂ近傍には、長円の穴１４が複数形成されており、この穴１４の短径が前後方向、すなわち先端１１ｄと後端１１ｅとを結ぶ方向に配置されている。ただし、掬取部１１の底板１１ａにおける他方の側壁１１ｃ近傍には、穴は形成されていない。すなわち、底板１１ａと他方の側壁１１ｃとからなる凹部１５には、穴は形成されていない。
【００２０】
ペットの排泄物処理具１０を上述したような形状にすることにより、処理材が付着した排泄物を掬取部１１に容易に掬い取ることができる。ペットの排泄物処理具１０を傾けて、掬取部１１に掬い取った処理材が付着した排泄物を複数の穴１４の上に移動させ、ペットの排泄物処理具１０を前後方向や左右方向に振り動かすことにより、排泄物に付着した以外の余分な処理材を複数の穴１４を通ってふるい落として分離することができる。よって、ペット用トイレに敷き詰められていた新しい処理材の減る割合が少なくなり、経済性が向上する。
【００２１】
そして、ペットの排泄物処理具１０を傾けることにより、ペットの排泄物処理具１０の中に残った余分な処理材を分離した排泄物を穴１４が形成されていない掬取部１１の底板１１ａにおける他方の側壁１１ｃの近傍に移動させる。このような位置に余分な処理材を分離した排泄物を移動することにより、ペットの排泄物処理具１０から排泄物に付着している処理材が落ちにくくなり、ペットの排泄物処理具１０に余分な処理材を分離した排泄物を乗せたまま、排泄物に付着している処理材をこぼさずに、ゴミ箱や人用のトイレまで容易に持ち運ぶことができる。
【００２２】
掬取部１１の底板１１ａの一部に複数の穴１４を形成したことにより、ペットの排泄物処理具１０を傾けるだけで、穴１４の上に処理材が付着した排泄物を移動させたり、余分な処理材を分離した排泄物を掬取部１１の穴１４以外の部分に移動させたりすることが容易にできるので、操作性が向上する。上述したように、穴１４を形成したことにより、排泄物が掬取部１１の穴１４に引っ掛かりにくくなり、ペットの排泄物処理具１０を傾けるだけで、余分な処理材を分離した排泄物を掬取部１１に形成された穴１４以外の部分に移動することが容易にできるので、操作性がさらに向上する。さらに、掬取部１１に形成された穴１４より小さい排泄物や汚れた処理材であっても、これらを掬取部１１における穴１４が形成されていない部位に掬い取って、ペット用トイレから取り除くことができるので、ペット用トイレの衛生を維持することができる。
【００２３】
なお、上記では、長円の穴１４を用いて説明したが、処理材の大きさなどに応じて適宜変更しえるものであり、例えば、穴の形状を三角形や四角形などにしても良い。また、穴１４の位置を掬取部１１の底板１１ａにおける一方の側壁１１ｂの近傍に形成したペットの排泄物処理具１０を用いて説明したが、掬取部１１における片寄った位置であればどの位置に設けても良い。また、上記では、ペットの排泄物処理具１０としてスコップ状のものを用いて説明したが、円筒状のものの一部に複数の穴を形成したものでも良い。また、ペットの排泄物処理具１０の素材は、プラスチック類やアルミニウムやステンレスなど上述した形状に加工できると共に、処理材が付着した排泄物を掬い取ることができる強度を有しているものであれば良い。
【実施例２】
【００２４】
図２は、本発明の第２の実施例に係るペットの排泄物処理具の斜視図である。第２の実施例に係るペットの排泄物処理具は、上述した第１の実施例に係るペットの排泄物処理具における穴の形状を変えたものであり、これ以外は前記ペットの排泄物処理具と同じ構成を有する。これらの構成については、上記第１の実施例に係るペットの排泄物処理具と同じ符号を付記し、同一符号については、その説明を省略する。
【００２５】
本発明の第２の実施例に係るペットの排泄物処理具２０では、図２に示すように、掬取部１１に穴が複数形成されており、その位置により大きさが異なる。すなわち、掬取部１１の底板１１ａにおける一方の側壁１１ｂ近傍、且つ底板１１ａの先端１１ｄ側に小さい穴２１が複数形成されており、これら小さい穴２１と所定の間隔を空けて、掬取部１１の後端１１ｅ近傍まで穴２１より大きい穴２２が所定の間隔にて複数形成されている。ただし、掬取部１１の底板１１ａにおける他方の側壁１１ｃ近傍には、穴は形成されていない。すなわち、底板１１ａと他方の側壁１１ｃとからなる凹部１５には、穴は形成されていない。
【００２６】
掬取部１１に上述したような２種類の大きさの穴２１，２２をそれぞれ形成したことにより、処理材が付着した排泄物が穴２２より小さく穴２１より大きい場合には、ペットの排泄物処理具２０を傾けて、掬取部１１に掬い取った処理材が付着した排泄物を掬取部１１の先端１１ｄ近傍の小さい穴２１の上に移動させ、ペットの排泄物処理具２０を前後方向や左右方向に振り動かすことにより、排泄物に付着した以外の余分な処理材を複数の穴２１を通ってふるい落として分離することができる。よって、ペット用トイレに敷き詰められていた新しい処理材の減る割合が少なくなり、経済性が向上する。
【００２７】
そして、ペットの排泄物処理具２０を傾けることにより、ペットの排泄物処理具２０の中に残った余分な処理材を分離した排泄物を穴２１，２２が形成されていない掬取部１１の他方の側壁１１ｃ近傍に移動させる。このような位置に余分な処理材を分離した排泄物を移動することにより、ペットの排泄物処理具２０から余分な処理材を分離した排泄物が落ちにくくなり、ペットの排泄物処理具２０に余分な処理材を分離した排泄物を乗せたまま、排泄物に付着している処理材をこぼさずに、ゴミ箱や人用のトイレまで容易に持ち運ぶことができる。
【００２８】
さらに、処理材が付着した排泄物が穴２２より大きい場合には、ペットの排泄物処理具２０を傾けて、掬取部１１に掬い取った処理材が付着した排泄物を掬取部１１の後端１１ｅ側の大きい穴２２の上に移動させ、ペットの排泄物処理具２０を前後方向や左右方向に振り動かすことにより、排泄物に付着した以外の余分な処理材を複数の穴２２を通ってふるい落として分離することができる。よって、ペット用トイレに敷き詰められていた新しい処理材の減る割合が少なくなり、経済性が向上する。
【００２９】
そして、ペットの排泄物処理具２０を傾けることにより、ペットの排泄物処理具２０の中に残った余分な処理材を分離した排泄物を穴２１，２２が形成されていない掬取部１１の他方の側壁１１ｃ近傍に移動させる。このような位置に余分な処理材を分離した排泄物を移動することにより、ペットの排泄物処理具２０から余分な処理材を分離した排泄物が落ちにくくなり、ペットの排泄物処理具２０に余分な処理材を分離した排泄物を乗せたまま、排泄物に付着している処理材をこぼさずに、ゴミ箱や人用のトイレまで容易に持ち運ぶことができる。
【００３０】
よって、上記第１の実施例に係るペットの排泄物処理具と同様な作用効果を奏する他、処理材が付着した排泄物が小さくても大きくても、排泄物に付着した以外の余分な処理材をふるい落とすことができる。
【００３１】
なお、上記では、掬取部１１における一方の側壁１１ｂの近傍に２種類の穴２１，２２を有するペットの排泄物処理具２０を用いて説明したが、掬取部１１の先端１１ｄ近傍における一方の側壁１１ｂ側、他方の側壁１１ｃ側に小さい穴２１、大きい穴２２をそれぞれ形成しても良く、上記ペットの排泄物処理具２０と同様な作用効果を奏する。
【実施例３】
【００３２】
図３は、本発明の第３の実施例に係るペットの排泄物処理具の斜視図である。第３の実施例に係るペットの排泄物処理具は、上述した第１の実施例に係るペットの排泄物処理具における穴の位置と、掬取部の先端近傍の形状を変えたものであり、これ以外は前記ペットの排泄物処理具と同じ構成を有する。これらの構成については、上記第１の実施例に係るペットの排泄物処理具と同じ符号を付記し、同一符号については、その説明を省略する。
【００３３】
本発明の第３の実施例に係るペットの排泄物処理具３０は、図３に示すように、掬取部１１の底板１１ａにおける先端１１ｄ近傍、且つ一方の側壁１１ｂから他方の側壁１１ｃまで所定の間隔にて長円の穴３１が複数形成されており、この穴３１の長径が前後方向、すなわち先端１１ｄと後端１１ｅとを結ぶ方向に配置されている。ただし、掬取部１１の後端１１ｅ近傍の凹部１６には、穴は形成されていない。掬取部１１の先端１１ｄ近傍からその嵩が深くなる形状となっており、掬取部１１に掬い取った処理材が付着した排泄物を掬取部１１の先端１１ｄ近傍に移動した状態にて振り動かしても、ペットの排泄物処理具３０から落ちないようになっている。
【００３４】
このような形状にすることによって、ペットの排泄物処理具３０を傾けて、掬取部１１に掬い取った処理材が付着した排泄物を複数の穴３１の上に移動させ、ペットの排泄物処理具３０を前後方向や左右方向に振り動かすことにより、排泄物に付着した以外の余分な処理材を複数の穴３１を通ってふるい落として分離することができる。よって、ペット用トイレに敷き詰められていた新しい処理材の減る割合が少なくなり、経済性が向上する。
【００３５】
そして、ペットの排泄物処理具３０を傾けることにより、ペットの排泄物処理具３０の中に残った余分な処理材を分離した排泄物を穴３１が形成されていない掬取部１１の底板１１ａにおける後端１１ｅ近傍に移動させる。このような位置に余分な処理材を分離した排泄物を移動することにより、ペットの排泄物処理具３０から余分な処理材を分離した排泄物が落ちにくくなり、ペットの排泄物処理具３０に余分な処理材を分離した排泄物を乗せたまま、排泄物に付着している処理材をこぼさずに、ゴミ箱や人用のトイレまで容易に持ち運ぶことができる。
【００３６】
掬取部１１の底板１１ａの一部に複数の穴３１を形成したことにより、ペットの排泄物処理具３０を傾けるだけで、穴３１の上に処理材が付着した排泄物を移動させたり、余分な処理材を分離した排泄物を掬取部１１の穴３１以外の部分に移動させたりすることが容易にできるので、操作性が向上する。
【実施例４】
【００３７】
図４は、本発明の第４の実施例に係るペットの排泄物処理具の斜視図である。第４の実施例に係るペットの排泄物処理具は、上述した第３の実施例に係るペットの排泄物処理具における穴の大きさとその位置とを変えたものであり、これ以外は前記ペットの排泄物処理具と同じ構成を有する。これらの構成については、上記第３の実施例に係るペットの排泄物処理具と同じ符号を付記し、同一符号については、その説明を省略する。
【００３８】
本発明の第４の実施例に係るペットの排泄物処理具４０では、図４に示すように、掬取部１１に穴が複数形成されており、その位置により大きさが異なる。すなわち、掬取部１１の一方の側壁１１ｂ近傍における先端１１ｄ側に小さい穴４１が複数形成されており、これら小さい穴４１から後端１１ｅ側に、穴４１より大きい穴４２が所定の間隔にて複数形成されており、これら穴４２からさらに後端１１ｅ側に、穴４２より小さく、穴４１と略同じ大きさの穴４３が複数形成されている。ただし、掬取部１１における他方の側壁１１ｃ近傍、および後端１１ｅ近傍には、穴は形成されていない。すなわち、掬取部１１の底板１１ａと他方の側壁１１ｃとからなる凹部１５および掬取部１１の後端１１ｅ近傍の凹部１６には、穴は形成されていない。
【００３９】
掬取部１１に上述したような２種類の大きさの穴４１，４２，４３をそれぞれ形成したことにより、処理材が付着した排泄物が穴４２より小さく穴４１，４３より大きい場合には、ペットの排泄物処理具４０を傾けて、掬取部１１に掬い取った処理材が付着した排泄物を掬取部１１の先端１１ｄ近傍の小さい穴４１または掬取部１１の後端１１ｅ側の小さい穴４３の上に移動させ、ペットの排泄物処理具４０を前後方向や左右方向に振り動かすことにより、排泄物に付着した以外の余分な処理材を複数の穴４１，４３を通ってふるい落として分離することができる。
【００４０】
そして、ペットの排泄物処理具４０を傾けることにより、ペットの排泄物処理具４０の中に残った余分な処理材を分離した排泄物を穴４１，４２，４３が形成されていない掬取部１１の底板１１ａにおける他方の側壁１１ｃの近傍や後端１１ｅ近傍に移動させる。このような位置に余分な処理材を分離した排泄物を移動することにより、ペットの排泄物処理具４０から余分な処理材を分離した排泄物が落ちにくくなり、ペットの排泄物処理具４０に余分な処理材を分離した排泄物を乗せたまま、排泄物に付着している処理材をこぼさずに、ゴミ箱や人用のトイレまで容易に持ち運ぶことができる。
【００４１】
さらに、処理材が付着した排泄物が穴４２より大きい場合には、ペットの排泄物処理具４０を傾けて、掬取部１１に掬い取った処理材が付着した排泄物を掬取部１１の先端１１ｄ側の穴４１と後端１１ｅ側の穴４３とで挟まれる大きい穴４２の上に移動させ、ペットの排泄物処理具４０を前後方向や左右方向に振り動かすことにより、排泄物に付着した以外の余分な処理材を複数の穴４２を通ってふるい落として分離することができる。
【００４２】
そして、ペットの排泄物処理具４０を傾けることにより、ペットの排泄物処理具４０の中に残った余分な処理材を分離した排泄物を穴４１，４２，４３が形成されていない掬取部１１の底板１１ａにおける他方の側壁１１ｃ近傍や後端１１ｅ近傍に移動させる。このような位置に余分な処理材を分離した排泄物を移動することにより、ペットの排泄物処理具４０から余分な処理材を分離した排泄物が落ちにくくなり、ペットの排泄物処理具４０に余分な処理材を分離した排泄物を乗せたまま、排泄物に付着している処理材をこぼさずに、ゴミ箱や人用のトイレまで容易に持ち運ぶことができる。
【００４３】
よって、第３の実施例に係るペットの排泄物処理具と同様な作用効果を奏する他、処理材が付着した排泄物が小さくても大きくても、排泄物に付着した以外の余分な処理材を容易にふるい落とすことができる。さらに、掬取部１１に形成された穴４１，４２，４３より小さい排泄物や汚れた処理材であっても、これらを掬取部１１における穴４１，４２，４３が形成されていない部位に掬い取って、ペット用トイレから取り除くことができるので、ペット用トイレの衛生を維持することができる。
【実施例５】
【００４４】
図５は、本発明の第５の実施例に係るペットの排泄物処理具の斜視図である。第５の実施例に係るペットの排泄物処理具は、上述した第１の実施例に係るペットの排泄物処理具における穴の位置およびその大きさを変えたものであり、これ以外は前記ペットの排泄物処理具と同じ構成を有する。これらの構成については、上記第１の実施例に係るペットの排泄物処理具と同じ符号を付記し、同一符号については、その説明を省略する。
【００４５】
本発明の第５の実施例に係るペットの排泄物処理具５０では、図５に示すように、掬取部５１の底板５１ａにおける一方の側壁５１ｂの近傍に複数の穴がそれぞれ形成されており、その位置により大きさが異なる。すなわち、一方の側壁５１ｂ近傍、且つ掬取部５１の先端５１ｄ側における掬取部５１の底板５１ａには、小さい穴５２が複数形成されており、これら小さい穴５２から後端５１ｄ側に、穴５２より大きい穴５３が所定の間隔にて複数形成されており、これら穴５３の他方の側壁５１ｃ側には、小さい穴５２と略同じ大きさの穴５４が複数形成されており、一方の側壁５１ｂから底板５１ａにかけて複数の穴５５が形成されている。ただし、掬取部５１の他方の側壁５１ｃ、先端５１ｄおよび後端５１ｅ近傍には穴は形成されていない。すなわち、掬取部５１の後端５１ｅ近傍の凹部５６および掬取部５１の底板５１ａと他方の側壁５１ｃとからなる凹部５７には、穴が形成されていない。また、底板５１ａと側壁５１ｂ、５１ｃとが交わる角部は丸くなっており、この角部に汚れが付着しても容易に取り除くことができる。
【００４６】
このような形状にすることによって、処理材が付着した排泄物が穴５３，５５より小さく穴５２，５４より大きい場合には、ペットの排泄物処理具５０を傾けて、掬取部５１に掬い取った処理材が付着した排泄物を掬取部５１の先端５１ｄ側の小さい穴５２または底板５１ａの略中央の小さい穴５４の上に移動させ、ペットの排泄物処理具５０を振り動かすことにより、排泄物に付着した以外の余分な処理材を複数の穴５２，５４を通ってふるい落として分離することができる。
【００４７】
そして、ペットの排泄物処理具を傾けることにより、ペットの排泄物処理具５０の中に残った余分な処理材を分離した排泄物を穴５２，５３，５４，５５が形成されていない掬取部５１の他方の側壁５１ｃ近傍や後端５１ｅ近傍に移動させる。このような位置に余分な処理材を分離した排泄物を移動することにより、ペットの排泄物処理具５０から余分な処理材を分離した排泄物が落ちにくくなり、ペットの排泄物処理具５０に余分な処理材を分離した排泄物を乗せたまま、排泄物に付着している処理材をこぼさずに、ゴミ箱や人用のトイレまで容易に持ち運ぶことができる。
【００４８】
さらに、処理材が付着した排泄物が穴５３，５５より大きい場合には、ペットの排泄物処理具５０を傾けて、掬取部５１に掬い取った処理材が付着した排泄物を掬取部５１における一方の側壁５１ｂ近傍の穴５３、一方の側壁５１ｂから底板５１ａにかけて形成された穴５５の上に移動させ、ペットの排泄物処理具５０を前後方向や左右方向に振り動かすことにより、排泄物に付着した以外の余分な処理材を複数の穴５３，５５を通ってふるい落として分離することができる。
【００４９】
そして、ペットの排泄物処理具５０を傾けることにより、ペットの排泄物処理具５０の中に残った余分な処理材を分離した排泄物を穴５２，５３，５４，５５が形成されていない掬取部５１の他方の側壁５１ｃ近傍や後端５１ｅ近傍に移動させる。このような位置に余分な処理材を分離した排泄物を移動することにより、ペットの排泄物処理具５０から余分な処理材を分離した排泄物が落ちにくくなり、ペットの排泄物処理具５０に余分な処理材を分離した排泄物を乗せたまま、排泄物に付着している処理材をこぼさずに、ゴミ箱や人用のトイレまで容易に持ち運ぶことができる。
【００５０】
よって、第１の実施例に係るペットの排泄物処理具と同様な作用効果を奏する他、処理材が付着した排泄物が小さくても大きくても、排泄物に付着した以外の余分な処理材を容易にふるい落とすことができる。さらに、上述したような位置に穴５５を形成したことにより、ペットの排泄物処理具５０を傾けた状態にて振り動かしたときに処理材が付着した排泄物が穴５５の上を移動することになり、排泄物に付着した以外の余分な処理材を効率良くふるい落とすことができる。
【実施例６】
【００５１】
図６は、本発明の第６の実施例に係るペットの排泄物処理具の斜視図であり、図７は、その断面図である。第６の実施例に係るペットの排泄物処理具は、上述した第１の実施例に係るペットの排泄物処理具における掬取部の形状および穴の位置を変えたものであり、これ以外は前記ペットの排泄物処理具と同じ構成を有する。これらの構成については、上記第１の実施例に係るペットの排泄物処理具と同じ符号を付記し、同一符号については、その説明を省略する。
【００５２】
本発明の第６の実施例に係るペットの排泄物処理具６０は、図６および図７に示すように、掬取部６１の底板６１ａに上方に突出した凸部６２を形成してなる２つの凹部６３，６４を有する。凸部６２と掬取部６１の先端６１ｄとで囲まれる一方の凹部６３の一部、すなわち掬取部６１の先端６１ｄ側における一方の側壁６１ｂの近傍には、第１の穴６５が複数形成されている。凸部６２と掬取部６１の後端６１ｅとの間における凸部６２の近傍の一部には、第１の穴６５より大きい第２の穴６６が複数形成されている。ただし、掬取部６１の先端６１ｄ側における他方の側壁６１ｃの近傍、および後側凹部６４における掬取部６１の後端６１ｅ近傍には穴は形成されていない。把持部１３には穴６７が形成されている。
【００５３】
このような形状にすることにより、処理材が付着した排泄物が穴６６より小さく穴６５より大きい場合には、ペットの排泄物処理具６０を傾けて、掬取部６１に掬い取った処理材が付着した排泄物を掬取部６１の先端６１ｄ近傍の第１の穴６５の上に移動させ、ペットの排泄物処理具６０を前後方向や左右方向に振り動かすことにより、排泄物に付着した以外の余分な処理材を第１の穴６５を通ってふるい落として分離することができる。このとき、処理材が付着した排泄物が凸部６２に引っ掛かるので、処理材が付着した排泄物が後側凹部６４側に移動しにくくなる。
【００５４】
そして、ペットの排泄物処理具６０を傾けることにより、ペットの排泄物処理具６０の中に残った余分な処理材を分離した排泄物を穴６５が形成されていない前側凹部６３における掬取部６１の他方の側壁６１ｃ近傍に移動させる。このような位置に余分な処理材を分離した排泄物を移動することにより、ペットの排泄物処理具６０から余分な処理材を分離した排泄物が落ちにくくなり、ペットの排泄物処理具６０に余分な処理材を分離した排泄物を乗せたまま、排泄物に付着している処理材をこぼさずに、ゴミ箱や人用のトイレまで容易に持ち運ぶことができる。
【００５５】
処理材が付着した排泄物が穴６６より大きい場合には、ペットの排泄物処理具６０を傾けて、掬取部６１に掬い取った処理材が付着した排泄物を、凸部６２を越えて第２の穴６６の上に移動させ、ペットの排泄物処理具６０を前後方向や左右方向に振り動かすことにより、排泄物に付着した以外の余分な処理材を第２の穴６６を通ってふるい落として分離することができる。このとき、処理材が付着した排泄物が凸部６２に引っ掛かるので、処理材が付着した排泄物が前側凹部６３側に移動しにくくなる。
【００５６】
そして、ペットの排泄物処理具６０を傾けることにより、ペットの排泄物処理具６０の中に残った処理材が付着した排泄物を穴６６が形成されていない後側凹部６４における掬取部６１の後端６１ｅ近傍に移動させる。このような位置に余分な処理材を分離した排泄物を移動することにより、ペットの排泄物処理具６０から余分な処理材を分離した排泄物が落ちにくくなり、ペットの排泄物処理具６０に余分な処理材を分離した排泄物を乗せたまま、排泄物に付着している処理材をこぼさずに、ゴミ箱や人用のトイレまで容易に持ち運ぶことができる。
【００５７】
よって、上記第１の実施例に係るペットの排泄物処理具と同様な作用効果を奏する他、処理材が付着した排泄物が小さくても大きくても、排泄物に付着した以外の余分な処理材を容易にふるい落とすことができる。
【００５８】
さらに、余分な処理材を分離した大きい排泄物と、余分な処理材を分離した小さい排泄物との両方を同時に持ち運ぶこともできる。すなわち、処理材が付着しており、第２の穴６６より大きい排泄物を、凸部６２を越えて第２の穴６６の上に移動させ、上述したように排泄物に付着した余分な処理材をふるい落として分離する。続いて、処理材が付着しており、第２の穴６６より小さく第１の穴６５より大きい排泄物を掬取部６１の先端６１ｄに掬い取り、掬取部６１の先端６１ｄ近傍における穴６５の上に移動させる。このとき、凸部６２に余分な処理材を分離した排泄物が引っ掛かるので、余分な処理材を分離した排泄物は前側凹部６３側に移動しない。上述したように排泄物に付着した余分な処理材をふるい落として分離する。よって、余分な処理材を分離した排泄物が前側凹部６３と後側凹部６４の両方に乗ることとなり、同時に持ち運ぶことができる。
【産業上の利用可能性】
【００５９】
本発明は、掬い取ったペットの排泄物に付着している余分な処理材を分離して廃棄するためのペットの排泄物処理具に利用することが可能である。
【図面の簡単な説明】
【００６０】
【図１】本発明の第１の実施例に係るペットの排泄物処理具の斜視図である。
【図２】本発明の第２の実施例に係るペットの排泄物処理具の斜視図である。
【図３】本発明の第３の実施例に係るペットの排泄物処理具の斜視図である。
【図４】本発明の第４の実施例に係るペットの排泄物処理具の斜視図である。
【図５】本発明の第５の実施例に係るペットの排泄物処理具の斜視図である。
【図６】本発明の第６の実施例に係るペットの排泄物処理具の斜視図である。
【図７】本発明の第６の実施例に係るペットの排泄物処理具の断面図である。
【符号の説明】
【００６１】
１０        ペットの排泄物処理具
１１        掬取部
１３        把持部
１４        穴
【図１】
2006141293.tif 000003
【図２】
2006141293.tif 000004
【図３】
2006141293.tif 000005
【図４】
2006141293.tif 000006
【図５】
2006141293.tif 000007
【図６】
2006141293.tif 000008
【図７】
2006141293.tif 000009